(57)【要約】      （修正有）【課題】遊技用景品カード成形用金型において、接合リブの形成箇所を避けて、剥離手段による押圧箇所を設定する必要がなくベースの設計の自由度の向上を図ることができるようにする。【解決手段】可動溝４１と固定溝が連続した一本の溝を形成するとともに、両溝の奥端のキャビティからの距離寸法が同一寸法となるようにし、かかる両溝の姿勢状態において、接合リブ１６を含むベースの成形作業を行うことができるようにした。これによれば、固定の主コア２６に設けた固定溝と、該主コア２６に対して出退変位される可動のエジェクタコア２７に設けた可動溝４１との組み合わせにより、接合リブ１６を成形するものであるにもかかわらず、両溝による接合リブ１６の成形部分に高さ寸法のばらつきが生じることはなく、成形精度および寸法精度に優れた接合リブ１６を得ることができる。【選択図】図１
2006326854.tif 000002
【特許請求の範囲】
【請求項１】
熱可塑性樹脂製の平皿状のベースと、該ベースに装着されるカバーと、これらベースとカバーとを超音波溶着してなる本体ケースの内部に景品として組み付けられる物品とで構成される遊技用景品カードの作製に際し、前記ベースの成形に用いられる金型であって、
前記ベースは、前記物品を収納するための凹部を有する底面壁と、前記カバーを超音波溶着することを目的として、前記底面壁の周縁に突設された接合リブとを備え、前記金型を用いた射出成形によって成形されるものであり、
前記金型は、主コアと、該主コアから成形品を離型するためのエジェクタコアとを有し、該エジェクタコアは、キャビティに臨む前記主コアの内面に凹み形成された装着穴内に収まる成形姿勢と、前記主コアの内面から突出する離型姿勢との間で出退変位可能に構成されており、
前記主コアの内面に刻設された固定溝と、前記エジェクタコアの内面に刻設された可動溝とによって、前記接合リブは成形されるようにしてあり、
前記エジェクタコアを成形姿勢としたとき、該エジェクタコアが前記装着穴の内奥面で受け止められることにより、該エジェクタコアの装着穴内への侵入限界が規制され、かかる規制状態において、前記エジェクタコアの可動溝の姿勢位置と、前記主コアの固定溝の姿勢位置とが一致するように設定されていることを特長とする遊技用景品カード成形用金型。
【請求項２】
前記エジェクタコアが、付勢手段によって成形姿勢となる方向へ移動付勢されている請求項１記載の遊技用景品カード成形用金型。
【請求項３】
熱可塑性樹脂製の平皿状のベースと、該ベースに装着されるカバーと、これらベースとカバーとを超音波溶着してなる本体ケースの内部に景品として組み付けられる物品とで構成される遊技用景品カードであって、
前記ベースが、請求項１又は２記載の遊技用景品カード成形用金型を用いて成形されたものであることを特徴とする遊技用景品カード。
【発明の詳細な説明】
【技術分野】
【０００１】
本発明は、遊技用景品カードを構成するベースの成形に用いられる金型と、この金型によって作製されたベースを備える遊技用景品カードに関する。
【背景技術】
【０００２】
例えばパチンコやスロットマシンを備えた遊技場では、一般に、獲得したパチンコ玉やメダルは計数機などによって計算され、それらに見合った景品と交換できるシステムが採用されている。この場合の景品には、タバコ等の通常の商品のほか、現金に交換するための景品があるが、近年においては景品交換の機械化、自動化が進み、出玉等から景品への交換が簡便かつスピーディに行えるように、所定のカードを使用する場合が多い。この種のカードは、通常、その表面等に換金額や店舗情報などの識別情報が磁気ストライプやバーコードにより記録されており、それらを専用のカードリーダーによって読み取ることで、交換所で現金に交換できるようになっている。
【０００３】
このような景品カードには、換金性や等価性を持たせるために、プラスチック製のカードケース内に商品価値のある物品、例えばメダルやコイン、あるいは金、白金、銀などの貴金属、さらには宝石などを収納したものがある。ＩＣチップなどを収納したものもある。例えば特許文献１に係る景品カードでは、扁平四角皿状のベースと、該ベースの上方開口を塞ぐ上カバーとで構成される本体ケース内に、貴金属材としての二個のペンダントが収納されている。ベースの底面壁の対向面には、凹部が段付き状に凹み形成されており、該凹部内にペンダントを落とし込み装着したうえで、先の上カバーを被せ付けている。凹部の内径寸法は、ペンダントの外形寸法と略一致しており、本体ケース内でペンダントは遊動不能とされている。
【０００４】
これらベースと上カバーとの結合方法としては、接着剤による方法のほか、超音波溶着による方法が考えられ、本発明では超音波溶着によってベースと上カバーを結合することを予定している。そこでのベースは熱可塑性樹脂を素材とする射出成形品であり、該ベースの四周縁に形成された接合リブ上に上カバーを載置したうえで、接合リブを超音波で溶融させることにより、両者を不離一体的に接合させて、本体ケースを形成している（本発明に係る図３参照）。
【０００５】
【特許文献１】特開平６−７９９９３号公報（図１）
【発明の開示】
【発明が解決しようとする課題】
【０００６】
射出成形によりベースを成形するには、金型のキャビティ（成形空間）内に溶融した熱可塑性樹脂を注入して樹脂を冷却固化させたのちに、金型を開いて成形品であるベースを取り出している。かかる取り出し工程においては、金型内に組み付けられたエジェクタピンをキャビティ側に向かって突出させ、ピン先でベースを押圧することで、該ベースを金型から剥離させている。
【０００７】
問題は、成形品であるベースと金型との間の付着力に抗してエジェクタピンで成形品を強く押圧し、これを金型から剥離する形態であるため、成形品にエジェクタピンによる押圧跡が付いて、押圧箇所が変形することが避けられず、したがって、厳密な寸法精度が要求される接合リブの形成箇所を避けて、エジェクタピンによる押圧箇所を設定せざるを得えない点にある。つまり、エジェクタピンによる押圧箇所と接合リブの形成箇所とが重なっていると、ピンによる押圧により接合リブが押し潰されて、その高さ寸法が小さくなるおそれがある。このように接合リブに高さ寸法の小さな箇所ができると、ベースと上カバーとの接合強度が低下して、遊技用景品カードの耐久性が損なわれやすい。このため、接合リブの形成箇所を避けて、剥離手段による押圧箇所を設定する必要があり、ベースの設計上の制約が大きく、その点に改良の余地があった。
【０００８】
本発明の目的は、遊技用景品カード成形用金型において、接合リブの形成箇所を避けて、剥離手段による押圧箇所を設定する必要がなく、したがってベースの設計上の制約を少なくして、ベースの設計の自由度の向上を図ることができるようにすることにある。
【課題を解決するための手段】
【０００９】
本発明は、図２ないし図４に示すごとく、熱可塑性樹脂製の平皿状のベース５と、該ベース５に装着されるカバー６と、これらベース５とカバー６とを超音波溶着してなる本体ケース２の内部に景品として組み付けられる物品３とで構成される遊技用景品カード１の作製に際し、前記ベース５の成形に用いられる金型を対象とする。図４および図５に示すように、ベース５は、物品３を収納するための凹部１５を有する底面壁７と、カバー６を超音波溶着することを目的として、底面壁７の周縁に突設された接合リブ１６とを備え、本発明にかかる金型を用いた射出成形によって成形されるものである。
【００１０】
図１および図６に示すごとく、この金型は、主コア２６と、該主コア２６から成形品を離型するためのエジェクタコア２７とを有する。エジェクタコア２７は、図６および図８に示すごとく、キャビティＳに臨む主コア２６の内面２６ａに凹み形成された装着穴３０内に収まる成形姿勢と、図１に示すごとく主コア２６の内面２６ａから突出する離型姿勢との間で出退変位可能に構成されている。図７および図８のように、主コア２６の内面２６ａに刻設された固定溝４０と、エジェクタコア２７の内面２７ａに刻設された可動溝４１とによって、接合リブ１６は成形されるようにしてある。そして、エジェクタコア２７を成形姿勢としたとき、該エジェクタコア２７が前記装着穴３０の内奥面で受け止められることにより、該エジェクタコア２７の装着穴３０内への侵入限界が規制され、かかる規制状態において、エジェクタコア２７の可動溝４１の姿勢位置と、主コア２６の固定溝４０の姿勢位置とが一致するように設定されていることを特長とする。ここで「エジェクタコア２７の可動溝４１の姿勢位置と、主コア２６の固定溝４０の姿勢位置とが一致する」とは、実質的に、図７に示すように可動溝４１と固定溝４０が、連続した一本の溝を形成するとともに、図８に示すごとく両溝４０・４１の奥端のキャビティＳからの距離寸法が同一寸法となることを意味する。
【００１１】
エジェクタコア２７は、図６に示すごとく付勢手段４６によって成形姿勢となる方向へ移動付勢されている形態を採ることができる。図示例では、操作ロッド３１に対して上向きの付勢力を与えるばねを付勢手段としている。
【００１２】
また本発明は、図２ないし図４に示すごとく熱可塑性樹脂製の平皿状のベース５と、該ベース５に装着されるカバー６と、これらベース５とカバー６とを超音波溶着してなる本体ケース２の内部に景品として組み付けられる物品３で構成される遊技用景品カードであって、前記ベース５が、請求項１又は２又は３記載の遊技用景品カード成形用金型を用いて成形されたものであることを特徴とする。
【発明の効果】
【００１３】
本発明では、図６、図７および図８に示すごとく、エジェクタコア２７の装着穴３０内への侵入限界が規制された規制状態において、該エジェクタコア２７の可動溝４１の姿勢位置と、主コア２６の固定溝４０の姿勢位置とが完全に一致するようにした。つまり、可動溝４１と固定溝４０が連続した一本の溝を形成するとともに、両溝４０・４１の奥端のキャビティＳからの距離寸法が同一寸法となるようにし、かかる両溝４０・４１の姿勢状態において、接合リブ１６を含むベース６の成形作業を行うことができるようにした。これによれば、固定の主コア２６に設けた固定溝４０と、該主コア２６に対して出退変位される可動のエジェクタコア２７に設けた可動溝４１との組み合わせにより、接合リブ１６を成形するものであるにもかかわらず、両溝４０・４１による接合リブ１６の成形部分に高さ寸法のばらつきが生じることはなく、成形精度および寸法精度に優れた接合リブ１６を得ることができる。したがって、接合リブ１６の形成箇所を避けて、エジェクタコア２７による押圧箇所を設定する必要がなくなり、ベース５の設計上の制約を少なくして、設計の自由度の向上を図ることができる。
【００１４】
エジェクタコア２７が、付勢手段によって図６および図８に示すような成形姿勢となる方向へ移動付勢されていると、不用意にエジェクタコア２７が離型姿勢となったり、装着穴３０内で揺動したりすることを阻止できる、したがって、接合リブ１６の成形精度および寸法精度の向上を図ることができる。
【発明を実施するための最良の形態】
【００１５】
図２ないし図４において、遊技用景品カード１（以下、単に景品カードと記す）は、四角扁平状の本体ケース２と、該本体ケース２の内部に収容された一枚のコイン（物品）３とからなる。本体ケース２は、コイン３を収納するベース５と、ベース５の上方開口を塞ぐように接合される上カバー６とで構成される。コイン３は、景品カード１に換金額と等価の価値を与えるものであり、図示例のような５０００円の景品カード（図２参照）では、５０００円相当のコイン３が本体ケース２内に組み付けられる。
【００１６】
図４に示すように、ベース５は、長方四角形状の底面壁７と、該底面壁７の外周から上向きに立ち上げ形成された枠状の周側壁９とを備える浅い四角皿状の熱可塑性樹脂製の成形品であり、図３に示すように、これら四方の周側壁９で区画された凹部１０を塞ぐように、上カバー６が超音波溶着により結合される。
【００１７】
上カバー６は、透明な樹脂材からなる長方四角形状のプレート体であり、その外形形状は、ベース５の周側壁９の内形形状と略一致している。図２において、符号１１は景品カード１の換金価格を示す印刷表示を、符号１２は換金価格や店舗情報などの識別情報が記録されたバーコード印刷を示しており、このバーコード印刷１２を専用のカードリーダーで読み取ることで、交換所で現金に交換できる。これら印刷表示１１やバーコード印刷１２は、上カバー６の外表面に印刷されている。
【００１８】
図２および図４に示すごとく、底面壁７の上面、すなわち上カバー６と対向する上側内面７ａの盤面中央には、コイン３の下面を受け止める上向きの受け面１４を有する丸穴状の凹部１５が、段付き状に凹み形成されている。図１に示すごとく、凹部１５の深さ寸法は、コイン３の厚み寸法と同一に設定されており、図３に示すごとく凹部１５内にコイン３を落とし込んだとき、コイン３の上面と底面壁７の上側向面７ａとは、面一の状態となる。凹部１５の内径寸法は、コイン３の外径寸法よりも僅かに大きく設定されている。
【００１９】
本体ケース２を構成するベース５と上カバー６とは、左右前後の四方向の周縁において、超音波溶着により結合される。すなわち、図４および図５に示すごとく、底面壁７の上側内面７ａの四周縁には、上カバー６を超音波溶着するための四本の接合リブ１６が周側壁９から所定間隔を置いて左右および前後方向に長く形成されている。図３に示すように、この接合リブ１６上に上カバー６を落とし込んでから、超音波溶着装置のホーンを上カバー６の上面から押し当てて振動させることにより、接合リブ１６の突端と、これが対向する上カバー６の対向面６ａとを溶融させて、ベース５と上カバー６とを不離一体的に超音波溶着することができる。
【００２０】
次に上記のベース５を成形するための成形用金型について説明する。図１および図６においてこの金型は、可動型取付板２０の下面に装着された上型２１と、固定型取付板２２の上面に固定された下型２３とで構成される。図６に示すように、両金型２１・２３を固定型取付板２２に装着されたスペーサブロック２５を介して近接対向状に配置された状態としたとき、両金型２２・２３の対向面の間には、ベース５と相似形のキャビティＳが形成される。
【００２１】
上型２１は、その大半を占める主コア２６と、主コア２６から成形品であるベース５を離型するためのエジェクタコア２７とからなる。図５において、符号２９はエジェクタコア２７のベース５に対する押圧箇所を示す。エジェクタコア２７は、キャビティＳに臨む主コア２６の内面の４箇所に設けられており、接合リブ１６を含むベース５の上側内面７ａの４箇所を下方に押圧して、ベース５を主コア２６から剥離する。
【００２２】
エジェクタコア２７は、主コア２６のキャビティＳに臨む内面２６ａに凹み形成された装着穴３０に収容されており、可動型取付板２０に貫通状に形成された操作ロッド３１を上下動させることにより、その内面２７ａが主コア２６の内面２６ａと面一状となる成形姿勢（図６参照）と、下方に突出する離型姿勢（図１参照）との間で出退変位する。図１に示すごとく、エジェクタコア２７は、操作ロット３１の下端に連結された四角柱状の連結部３２と、該連結部３２よりも大形のフランジ部３３とからなる段付き状を呈している。
【００２３】
かかるエジェクタコア２７の形状に対応して、装着穴３０は、連結部３２の上下動を許す操作穴３５と、フランジ部３３を受け止める規制穴３６とからなる段付き状に形成してある。図６および図８に示すように、成形姿勢においては、エジェクタコア２７のフランジ部３３が装着穴３０の規制穴３６の内奥面で受け止められることにより、エジェクタコア２７の装着穴３０内への侵入限界が規制された状態となる。具体的には、図１に示すごとく、規制穴３６の深さ寸法Ｄは、エジェクタコア２７のフランジ部３３の厚み寸法Ｔと同寸法に設定してあり、成形姿勢においては両内面２７ａ・２６ａは面一の状態となる。
【００２４】
接合リブ１６は、主コア２６の内面２６ａに刻設された固定溝４０と、エジェクタコアの２７内面に刻設された可動溝４１とによって形成される（図１および図７参照）。図７および図８に示すごとくエジェクタコア２７を成形姿勢としたとき、可動溝４１の姿勢位置と固定溝４０の姿勢位置とは完全に一致するように設定してある。したがって、両溝４０・４１による成形部分に高さ寸法のばらつきは生じず、成形精度および寸法精度に優れた接合リブ１６を得ることができる。これにて、接合リブ１６の形成箇所を避けてエジェクタコア２７による押圧箇所を設定する必要がなくなり、したがって、ベース５の設計上の制約を少なくして、設計自由度の向上を図ることができる。
【００２５】
可動型取付板２０には、図１に示すごとく通孔４２が上下貫通状に設けてあり、この通孔４２に操作ロッド３１が上方から落とし込み装着されている。可動型取付板２０の上面には、通孔４２のまわりに凹部４３を凹み形成してあり、操作ロッド３１の上端には、鍔部４５を張り出し形成してある。そして、凹部４３に鍔部４５が受け止められることにより、可動型取付板２０に対する操作ロッド３１の下方への抜け止めが図られている。凹部４３と鍔部４５との間には、捩じりコイル形のばね４６が装着されており、このばね４６により、操作ロッド３１に対して、常に上向きの付勢力が付与される。ばね４６は操作ロッド３１の軸４７に外嵌装着されており、鍔部４５の下面に対して上向きの付勢力を与える。
【００２６】
図１において、符号５０はエジェクタ装置５１の押圧力を受けて下降するエジェクタプレートを、符号５２は操作ロッド３１に対応してエジェクタプレート５０に装着されたエジェクタピンを、符号５３はエジェクタプレート５０と可動型取付板２０との間に介装されて、該可動型取付板２０に対してエジェクタプレート５０を上方に持ち上げるような付勢力を発揮するリターンスプリングを示す。エジェクタプレート５０は、図６に示すようなエジェクタピン５２と操作ロッド３１とが非接触となる上昇位置と、図１に示すような両者５２と３１とが接触状態となる下降位置との間で上下動移動に構成されており、エジェクタ装置５１からの下降押圧力がないとき、リターンスプリング５３の付勢力を受けて、図６に示すような上昇位置に位置している。
【００２７】
ベース５の射出成形に際しては、まず図６に示すごとく、上型２１と下型２３とを近接対向させて、両者の対向面に形成されるキャビティＳ内に図外の注入口より熱可塑性樹脂を注入する。この状態では、エジェクタコア２７は、ばね４６の付勢力を受けて上向きに移動付勢されており、図８に示すごとくフランジ部３３が規制穴３６の内奥面で受け止められた規制状態にある。かかる規制状態においては、エジェクタコア２７の内面２７ａは主コア２６の内面２６ａと面一状となるとともに、エジェクタコア２７の可動溝４１の姿勢位置と主コア２６の固定溝４０の姿勢位置とが完全に一致している（図７および図８参照）。したがって、図５に示す成形後のベース５の底面壁７の上側内面７ａには、主コア２６とエジェクタコア２７との継ぎ目が現れることがない。何よりも高さ寸法にばらつきの無い、高精度な接合リブ１６を確実に得ることもできる。エジェクタコア２７は、図１に示すごとくばね４６で上向きに移動付勢されているため、不用意にエジェクタコア２７が揺動することもない。
【００２８】
次にキャビティＳ内で樹脂を固化させてからベース５を取り出す。具体的には、可動型取付板２０ごと上型２１を上昇させてから、エジェクタ装置５１を作動させて、リターンスプリング５３の上向きの付勢力に抗してエジェクタプレート５０を下降させる。ばね４６の付勢力に抗して操作ロッド３１が押し下げられ、エジェクタコア２７を図１に示すような離型姿勢に変位し、成形品であるベース５は、エジェクタコア２７に押されて主コア２６の内面２６ａから剥離・脱落し、これにて、図５に示すような遊技用景品カード１のベース５を得ることができる。
【００２９】
上記実施形態においては、上型２１にエジェクタコア２７を組み付けていたが、本発明はこれに限られない。貴金属材としてコイン３を用いていたが、本発明はこれに限られず、本体ケース２内にはペンダントや宝石などを収納することができる。ＩＣチップを本体ケース内に収容してもよい。
【図面の簡単な説明】
【００３０】
【図１】金型を含む成形機の縦断側面図であり、エジェクタコアを離型姿勢としたときの状態を示している。
【図２】遊技用景品カードの全体の斜視図である。
【図３】遊技用景品カードの要部の縦断側面図である。
【図４】遊技用景品カードの分解斜視図である。
【図５】ベースの平面図である。
【図６】金型を含む成形機の縦断側面図であり、エジェクタコアを成形姿勢としたときの状態を示している。
【図７】図６のＡ−Ａ線断面図である。
【図８】図７のＢ−Ｂ線断面図である。
【符号の説明】
【００３１】
１  遊技用景品カード
２  本体ケース
３  物品（コイン）
５  ベース
６  上カバー
７  底面壁
１６  接合リブ
２１  上型
２３  下型
２６  主コア
２７  エジェクタコア
３０  装着穴
３２  連結部
３３  フランジ部
３５  操作穴
３６  規制穴
４０  固定溝
４１  可動溝
【図１】
2006326854.tif 000003
【図２】
2006326854.tif 000004
【図３】
2006326854.tif 000005
【図４】
2006326854.tif 000006
【図５】
2006326854.tif 000007
【図６】
2006326854.tif 000008
【図７】
2006326854.tif 000009
【図８】
2006326854.tif 000010